(57)【要約】【課題】本発明は、電子回路設計技術と投像体を利用して、照明器具に多様な形状を映像で表示できるように開発された照明システムを提供する。【解決手段】本発明は、電子回路部によって、多様な映像を連続的に表示し投像体によって、映像を発生できる照明システムに関する。この照明システムは複数のＬＥＤ、電子回路部、発光部、投像体、及び照明機構部を含む特徴を有する。【選択図】図４
2011528805.tif 000002
【特許請求の範囲】
【請求項１】
多段階で動作する電子回路部、
トランジスター増幅器によって駆動される発光部、
多様な映像を投射する投像体部、及び
前記映像を表示する照明機構部を含み、
前記電子回路部は、所定時間の間隔でパルスを発生させるパルス発生器、前記パルス発生器からパルスが入力される毎に４ビット２進符号を発生させる１６分割カウンター、及び前記カウンターの出力に接続されたＬＥＤを駆動するトランジスター増幅器を含んで構成され、前記４ビット２進符号は毎パルス当たり１６段階に変わり、
前記多様な色の光を発光する発光部は、各段階に芸術映像を具現するためにＬＥＤの適切な選定及び配置を要し、特にＬＥＤは表面実装型の高輝度４角LEDを利用し、より一層効率的に芸術映像を具現する１２０°の広角を有し、５-ｐｈｉ高輝度LEDを全ての場合に使用でき、
前記投像体部は、ＬＥＤ光を通して映像を表示するための重要な役割を遂行し、適切にデザインされなければならなく、前記投像体部は照明システムの下部に構成されて任意に設計されて、投像体部が単純な形状を有しても、循環式で配置されるＬＥＤを通して異なる角度で照射して、３次元で映像を多様に提案でき、
前記照明機構部は、外部に明確に映像情報を示さなければならず、照明機構部は半透明乳白色の丸い形状または楕円のガラスまたはプラスチック材料を利用して、その内部は均一にコーティングされていることを特徴とする、映像照明システム。
【請求項２】
ＬＥＤの組み合わせと所望する投像体の形状を変更することにより、多様な映像が発生される特徴を有する芸術性を加えたことを特徴とする、映像照明システム。
【発明の詳細な説明】
【技術分野】
【０００１】
本発明は、電子回路設計技術と投像体を利用して、照明器具に多様な形状を映像で表示できるように開発された照明システムに関する。
【背景技術】
【０００２】
本発明は、複数のＬＥＤを使用して、段階毎に所望する色が発光されるようにＬＥＤ回路を構成した後、この回路と照明器具との間に特別にデザインされた投像体を有する３段構造で形成されていて、段階毎に複数のＬＥＤから発光される発光を先ず投射体を通して照明器具に反射させることによって、照明器具の内壁に多様な映像が多様な彩色で表示されるようにする映像照明システムに関する技術である。
【発明の概要】
【発明が解決しようとする課題】
【０００３】
しかし、今までの照明器具は、一つの色だけ固定して発光する程度であり、前述したように本発明は照明器具自体が段階的に変わりながら、多様な美しい映像を提供するようにした。
【０００４】
本発明の第１の目的は、複数のＬＥＤが順次動作するように電子回路を構成することである。本発明の第２の目的は、所望する映像表示のためＬＥＤを適切に選定すること、及び配置することである。本発明の第３の目的は、最大電流条件で動作するＬＥＤ駆動増幅器を提供することである。本発明の第４の目的は、芸術映像を提案できる投像体の適切なデザインを提供することである。
【課題を解決するための手段】
【０００５】
前述した目的を達成するための本発明は、多段階で動作する電子回路部(ｅｌｅｃｔｒｏｎｉｃ  ｃｉｒｃｕｉｔ  ｐａｒｔ)、トランジスター増幅器によって駆動される発光部(ｌｉｇｈｔ−ｅｍｉｔｔｉｎｇ  ｐａｒｔ)、多様な映像を投射する投像体部(ｉｍａｇｅ  ｐｒｏｊｅｃｔｏｒ  ｐａｒｔ)、及び前記の映像を表示する照明機構部(ｌｉｇｈｔ  ｆｉｘｔｕｒｅ  ｐａｒｔ)を含む映像照明システムを提供する。
【０００６】
電子回路部は、所定時間の間隔でパルスを発生させるパルス発生器、前記パルス発生器からパルスが入力される毎に４ビット２進２進符号を発生させる１６分割カウンター、及びＬＥＤを駆動するトランジスター増幅器を含んで構成される。
【０００７】
多様な色の光を発光する発光部は、各段階に芸術映像を具現するためにＬＥＤの適切な選定及び配置を要する。
【０００８】
投像体部は、ＬＥＤ光を通して映像を表示するための重要な役割を遂行し、適切にデザインされなければならない。
【０００９】
照明機構部は、外部に明確に映像情報を表示する必要がある。
【発明の効果】
【００１０】
本発明は、投像体の活用が核心であるといえる。投像体によって照明装置は芸術感を有することができる。各段階に異なる映像が増加的に提供されて動作されるＬＥＤの位置変更を誘導する。また、ＬＥＤの組み合わせで所望する投像体の形状を変更することによって多様な映像が表示できる。
【図面の簡単な説明】
【００１１】
【図１】本発明による照明システムの投像体の一例である。
【図２】芸術映像スケッチの一例である。
【図３】芸術映像スケッチの一例である。
【図４】本発明の平面図である。
【発明を実施するための形態】
【００１２】
前述した目的を達成するための本発明は、多段階で動作する電子回路部(ｅｌｅｃｔｒｏｎｉｃ  ｃｉｒｃｕｉｔ  ｐａｒｔ)、トランジスター増幅器によって駆動される発光部(ｌｉｇｈｔ−ｅｍｉｔｔｉｎｇ  ｐａｒｔ)、多様な映像を投射するよう投像体部(ｉｍａｇｅ  ｐｒｏｊｅｃｔｏｒ  ｐａｒｔ)、及び前記映像を表示する照明機構部(ｌｉｇｈｔ  ｆｉｘｔｕｒｅ  ｐａｒｔ)を含む映像照明システムを提供する。
【００１３】
電子回路部は、所定時間の間隔でパルスを発生させるパルス発生器、前記パルス発生器からパルスが入力される時毎に４ビット２進符号を発生させる１６分割カウンター、及び前記カウンターの出力に接続されたＬＥＤを駆動するトランジスター増幅器を含んで構成される。これによって前記４ビット２進符号はパルス当たり１６段階に変わる。
【００１４】
多様な色の光を発光する発光部は、各段階に芸術映像を具現するためにＬＥＤの適切な選定及び配置を要する。特に、ＬＥＤは表面実装型(ＳＭＴ  ｔｙｐｅ)の高輝度４角ＬＥＤを利用し、より一層効率的に芸術映像を具現するために、１２０°の広角(ｗｉｄｅ  ａｎｇｌｅ)を有する。５-ｐｈｉ高輝度ＬＥＤをすべての場合に使用できる。
【００１５】
投像体部は、ＬＥＤ光を通して映像を表現するための重要な役割を果たし、適切にデザインされなければならない。この投像体部は照明システムの下部に構成されて任意に設計されてもよい。投像体部が単純な形状を有しても、循環式に配置されるＬＥＤを通して、多様な角度で照射(ｉｌｌｕｍｉｎａｔｉｎｇ)することにより３次元に映像を多様に提案することができる。
【００１６】
照明機構部は、外部に明確に映像情報を表示しなければならない。照明器具部は、半透明乳白色の丸い形状または楕円のガラス、またはプラスチック材料を利用し、その内部は均一にコーティングされている。
【００１７】
実施例
まず、電子回路部は、ＰＣＢアートワークによって構成される。ＳＭＴタイプのＬＥＤは、１６分割カウンターの出力に接続され、投像体部は、ＬＥＤの上部に構成され、乳白色の照明機構部は、投像体の上に構成される。
【００１８】
電源は、アダプターによって直流に変換される。一般に直流電源は、５Ｖ乃至１２Ｖが使用される。また、本発明の出力パワーは望むまま低電力から高電力まで利用できる。
【産業上の利用可能性】
【００１９】
現代の照明装置は、芸術性を有しなければならない。照明システムに芸術感を持たせるためには、照明システム上にデザイン性を付け加えなければならない。本発明は目的を達成するために投像体を使用することにより照明技術において新しい道を開くこととなる。本発明を屋内及び屋外の全ての照明システムに適用すれば、照明環境において非常にエレガントな雰囲気を提供することとなる。
【００２０】
以上、本発明について説明したが、前述した内容を通して、当業者ならば本発明の技術思想を逸脱しない範囲内で多様に変更及び修正等が可能であることが分かるだろう。
【００２１】
従って、本発明の技術的範囲は実施例に記載された内容に限定されず特許請求の範囲及びその均等物などによって決まらなければならない。
【図１】
2011528805.tif 000003
【図２】
2011528805.tif 000004
【図３】
2011528805.tif 000005
【図４】
2011528805.tif 000006
【国際調査報告】
2011528805.tif 000007
2011528805.tif 000008